【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
パーソナルオーディオデバイスであって、該パーソナルオーディオデバイスは、
パーソナルオーディオデバイス筐体と、
オーディオ信号を再生する、該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を生成する、該筐体に設置されている基準マイクロフォンと、
該トランスデューサの音響出力および該トランスデューサにおける該周囲のオーディオサウンドを示すエラーマイクロフォン信号を生成する、該トランスデューサの近くにおいて該筐体に設置されているエラーマイクロフォンと、
応答を有する適合的フィルタを実装する処理回路であって、該応答は、該基準信号から、該リスナによって聞き取られる該周囲のオーディオサウンドの存在を低減するための該アンチノイズ信号を生成する、処理回路と
を備え、
該処理回路は、係数制御によって生成される係数に従って該エラーマイクロフォンにおける該周囲のオーディオサウンドを最小化するために、該適合的フィルタの応答を適合させることによって、該エラーマイクロフォン信号および該基準マイクロフォン信号に従う該適合的フィルタの応答を成形し、該係数制御は、該エラーマイクロフォン信号または該基準マイクロフォン信号のうちの少なくとも１つから導出される信号を受信し、該信号を該エラーマイクロフォン信号または該基準マイクロフォン信号のうちの別の１つと相関させることによって該係数を計算し、該係数は、該適合的フィルタの応答内の他方の周波数領域に適用されるゲインに対して１つ以上の特定の周波数領域内の該信号に適用されるゲインをそれぞれに増大または減少させることによって、該アンチノイズ信号が該他方の周波数領域において該周囲のオーディオサウンドをキャンセルする程度に対して、該アンチノイズ信号が該１つ以上の特定の周波数領域において該周囲のオーディオサウンドをキャンセルする程度を増大または減少させるように調節される、パーソナルオーディオデバイス。
【請求項２】
前記エラーマイクロフォン信号または前記基準マイクロフォン信号のうちの前記少なくとも１つから導出される信号の周波数応答は、外部音響経路の周波数応答に対して補償するために重み付けされる、請求項１に記載のパーソナルオーディオデバイス。
【請求項３】
前記エラーマイクロフォン信号または前記基準マイクロフォン信号のうちの別の１つから導出される別の信号の位相応答は、該エラーマイクロフォン信号または該基準マイクロフォン信号のうちの前記少なくとも１つから導出される信号の前記重み付けに対して補償するために調節される、請求項２に記載のパーソナルオーディオデバイス。
【請求項４】
前記外部音響チャネルの応答は、１つ以上のマルチパスヌルを有し、前記エラーマイクロフォン信号または前記基準マイクロフォン信号のうちの前記少なくとも１つから導出される信号は、該１つ以上のマルチパスヌルと対応する前記１つ以上の特定の周波数領域における前記適合的フィルタの応答の形状を調節するために重み付けされる、請求項２に記載のパーソナルオーディオデバイス。
【請求項５】
前記重み付けは、前記基準マイクロフォン信号から導出される信号と前記エラーマイクロフォン信号から導出される別の信号とに適用される、請求項１に記載のパーソナルオーディオデバイス。
【請求項６】
等しい重み付けは、前記基準マイクロフォン信号から導出される信号と前記エラーマイクロフォン信号から導出される別の信号とに適用される、請求項５に記載のパーソナルオーディオデバイス。
【請求項７】
前記パーソナルオーディオデバイスは、ダウンリンクオーディオ信号として前記ソースオーディオを受信するためのトランシーバをさらに備えている無線電話機である、請求項１に記載のパーソナルオーディオデバイス。
【請求項８】
パーソナルオーディオデバイスのトランスデューサの近くにおける周囲のオーディオサウンドをキャンセルする方法であって、該方法は、
基準マイクロフォン信号を生成するために、基準マイクロフォンを用いて、周囲のオーディオサウンドの第１の測定を行うことと、
エラーマイクロフォンを用いて、該トランスデューサの出力および該トランスデューサにおける該周囲のオーディオサウンドの第２の測定を行うことと、
該基準マイクロフォンの出力をフィルタリングする適合的フィルタの応答を適合させることにより、該第１の測定および該第２の測定の結果から、該エラーマイクロフォンにおける周囲のオーディオサウンドの影響を最小化するためのアンチノイズ信号を適合的に生成することと、
該アンチノイズ信号をソースオーディオ信号と組み合わせることにより、該トランスデューサに提供されるオーディオ信号を生成することと、
該エラーマイクロフォン信号または該基準マイクロフォン信号のうちの少なくとも１つから導出される信号をフィルタリングして、１つ以上の特定の周波数領域内の該信号に適用されるゲインを増大または減少させることによって該適合的フィルタの応答内に１つ以上の特定の周波数領域に重み付けることと、
該フィルタリングすることの結果を該適合的フィルタの係数制御に提供して、該フィルタリングすることの結果を該エラーマイクロフォン信号または該基準マイクロフォン信号のうちの別の１つと相関させて係数を生成することによって該適合的フィルタの振幅応答を成形することであって、該係数は、該適合的フィルタの振幅応答を制御し、それにより、該適合的フィルタの応答内の他方の周波数領域に適用されるゲインに対して該１つ以上の特定の周波数領域内の該信号に適用されるゲインをそれぞれに増大または減少させることに従って、該係数は、該アンチノイズ信号が該他方の周波数領域において該周囲のオーディオサウンドをキャンセルする程度に対して、該アンチノイズ信号が該１つ以上の特定の周波数領域において該周囲のオーディオサウンドをキャンセルする程度を増大または減少させるように調節される、ことと
を含む、方法。
【請求項９】
前記フィルタリングすることは、外部音響経路の周波数応答に対して補償するために、前記エラーマイクロフォン信号または前記基準マイクロフォン信号のうちの前記少なくとも１つから導出される信号の周波数応答に重み付けする、請求項８に記載の方法。
【請求項１０】
前記フィルタリングすることによる前記エラーマイクロフォン信号または前記基準マイクロフォン信号のうちの前記少なくとも１つから導出される信号の前記重み付けに対して補償するために、該エラーマイクロフォン信号または該基準マイクロフォン信号のうちの別の１つから導出される別の信号の位相応答を調節することをさらに含む、請求項９に記載の方法。
【請求項１１】
前記外部音響チャネルの応答は、１つ以上のマルチパスヌルを有し、前記フィルタリングすることは、該１つ以上のマルチパスヌルと対応する前記１つ以上の特定の周波数領域における前記適合的フィルタの応答の形状を調節するために、前記エラーマイクロフォン信号または前記基準マイクロフォン信号のうちの前記少なくとも１つから導出される信号に重み付けする、請求項９に記載の方法。
【請求項１２】
前記フィルタリングすることは、前記基準マイクロフォン信号から導出される信号と前記エラーマイクロフォン信号から導出される別の信号とに前記重み付けを適用する、請求項８に記載の方法。
【請求項１３】
前記フィルタリングすることは、前記基準マイクロフォン信号から導出される信号と前記エラーマイクロフォン信号から導出される別の信号とに等しい重み付けを適用する、請求項１２に記載の方法。
【請求項１４】
前記パーソナルオーディオデバイスは、無線電話機であり、前記方法は、ダウンリンクオーディオ信号として前記ソースオーディオを受信することをさらに含む、請求項８に記載の方法。
【請求項１５】
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該トランスデューサの出力および該トランスデューサにおける該周囲のオーディオサウンドを示すエラーマイクロフォン信号を受信するためのエラーマイクロフォン入力部と、
応答を有する適合的フィルタを実装する処理回路であって、該応答は、該基準信号から、該リスナによって聞き取られる該周囲のオーディオサウンドの存在を低減するための該アンチノイズ信号を生成する、処理回路と
を備え、
該処理回路は、係数制御によって生成される係数に従って該エラーマイクロフォンにおける該周囲のオーディオサウンドを最小化するために、該適合的フィルタの応答を適合させることによって、該エラーマイクロフォン信号および該基準マイクロフォン信号に従う該適合的フィルタの応答を成形し、該係数制御は、該エラーマイクロフォン信号または該基準マイクロフォン信号のうちの少なくとも１つから導出される信号を受信し、該信号を該エラーマイクロフォン信号または該基準マイクロフォン信号のうちの別の１つと相関させることによって該係数を計算し、該係数は、該適合的フィルタの応答内の他方の周波数領域に適用されるゲインに対して１つ以上の特定の周波数領域内の該信号に適用されるゲインをそれぞれに増大または減少させることによって、該アンチノイズ信号が該他方の周波数領域において該周囲のオーディオサウンドをキャンセルする程度に対して、該アンチノイズ信号が該１つ以上の特定の周波数領域において該周囲のオーディオサウンドをキャンセルする程度を増大または減少させるように調節される、集積回路。
【請求項１６】
前記エラーマイクロフォン信号または前記基準マイクロフォン信号のうちの前記少なくとも１つから導出される信号の周波数応答は、外部音響経路の周波数応答に対して補償するために重み付けされる、請求項１５に記載の集積回路。
【請求項１７】
前記エラーマイクロフォン信号または前記基準マイクロフォン信号のうちの別の１つから導出される別の信号の位相応答は、前記エラーマイクロフォン信号または該基準マイクロフォン信号のうちの前記少なくとも１つから導出される信号の前記重み付けに対して補償するために調節される、請求項１６に記載の集積回路。
【請求項１８】
前記外部音響チャネルの応答は、１つ以上のマルチパスヌルを有し、前記エラーマイクロフォン信号または前記基準マイクロフォン信号のうちの前記少なくとも１つから導出される信号は、該１つ以上のマルチパスヌルと対応する１つ以上の第１の特定の周波数領域における前記適合的フィルタの応答の形状を調節するために重み付けされる、請求項１６に記載の集積回路。
【請求項１９】
前記重み付けは、前記基準マイクロフォン信号から導出される信号と前記エラーマイクロフォン信号から導出される別の信号とに適用される、請求項１５に記載の集積回路。
【請求項２０】
等しい重み付けは、前記基準マイクロフォン信号から導出される信号と前記エラーマイクロフォン信号から導出される別の信号とに適用される、請求項１９に記載の集積回路。
【手続補正２】
【補正対象書類名】明細書
【補正対象項目名】０００７
【補正方法】変更
【補正の内容】
【０００７】
添付の図面に例示されているとおり、本発明の前述の目的、特徴、および利点、ならびに、他の目的、特徴、および利点は、本発明の好ましい実施形態の以下のより詳細な説明から明らかとなる。
本願明細書は、例えば、以下の項目も提供する。
（項目１）
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該トランスデューサの音響出力および該トランスデューサにおける該周囲のオーディオサウンドを示すエラーマイクロフォン信号を提供するために、該トランスデューサの近くにおいて該筐体に設置されている、エラーマイクロフォンと、
応答を有する適合的フィルタを実装する処理回路であって、該応答は、該基準信号から、該リスナによって聞き取られる該周囲のオーディオサウンドの存在を低減するための該アンチノイズ信号を生成する、処理回路と
を備え、該処理回路は、該エラーマイクロフォンにおける該周囲のオーディオサウンドを最小化するために、該適合的フィルタの応答を適合させることによって、該エラーマイクロフォン信号および該基準マイクロフォン信号に従い、該適合的フィルタの応答を成形し、該エラーマイクロフォン信号または基準マイクロフォン信号のうちの少なくとも１つは、フィルタリングされることにより、１つ以上の第１の特定の周波数領域に重み付けし、それによって、該適合的フィルタの応答は、該第１の特定の周波数領域における該周囲のオーディオサウンドの最小化の程度を変更するようにバイアスされる、
パーソナルオーディオデバイス。
（項目２）
前記エラーマイクロフォン信号または基準マイクロフォン信号のうちの前記少なくとも１つの周波数応答は、外部音響チャネルの周波数応答に対して補償するために重み付けされる、項目１に記載のパーソナルオーディオデバイス。
（項目３）
前記エラーマイクロフォン信号または基準マイクロフォン信号のうちの別の１つの位相応答は、前記エラーマイクロフォン信号または基準マイクロフォン信号のうちの前記少なくとも１つの前記重み付けに対して補償するために調節される、項目２に記載のパーソナルオーディオデバイス。
（項目４）
前記外部音響チャネルの応答は、１つ以上のマルチパスヌルを有し、前記エラーマイクロフォン信号または基準マイクロフォン信号のうちの前記少なくとも１つは、該１つ以上のマルチパスヌルと対応する前記１つ以上の第２の周波数領域における前記適合的フィルタの応答の形状を調節するために重み付けされる、項目２に記載のパーソナルオーディオデバイス。
（項目５）
前記重み付けは、前記基準マイクロフォン信号と前記エラーマイクロフォン信号との両方に対して適用される、項目１に記載のパーソナルオーディオデバイス。
（項目６）
等しい重み付けが、前記基準マイクロフォン信号と前記エラーマイクロフォン信号との両方に対して適用される、項目４に記載のパーソナルオーディオデバイス。
（項目７）
前記パーソナルオーディオデバイスは、ダウンリンクオーディオ信号として前記ソースオーディオを受信するためのトランシーバをさらに備えている無線電話機である、項目１に記載のパーソナルオーディオデバイス。
（項目８）
パーソナルオーディオデバイスのトランスデューサの近くにおける周囲のオーディオサウンドをキャンセルする方法であって、該方法は、
基準マイクロフォン信号を生成するために、基準マイクロフォンを用いて、該周囲のオーディオサウンドの第１の測定を行うことと、
エラーマイクロフォンを用いて、該トランスデューサの出力および該トランスデューサにおける周囲のオーディオサウンドの第２の測定を行うことと、
該基準マイクロフォンの出力をフィルタリングする適合的フィルタの応答を適合させることにより、該第１の測定および該第２の測定の結果から、該エラーマイクロフォンにおける周囲のオーディオサウンドの影響を最小化するためのアンチノイズ信号を適合的に生成することと、
該アンチノイズ信号をソースオーディオ信号と組み合わせることにより、該トランスデューサに提供されるオーディオ信号を生成することと、
該エラーマイクロフォン信号または基準マイクロフォン信号のうちの少なくとも１つをフィルタリングすることにより、１つ以上の第１の特定の周波数領域に重み付けし、それによって、該適合的フィルタの応答は、該第１の特定の周波数領域における該周囲のオーディオサウンドの最小化の程度を変更するようにバイアスされることと
を含む、方法。
（項目９）
前記フィルタリングすることは、外部音響チャネルの周波数応答に対して補償するために、前記エラーマイクロフォン信号または基準マイクロフォン信号のうちの前記少なくとも１つの周波数応答に重み付けする、項目８に記載の方法。
（項目１０）
前記フィルタリングすることによる前記エラーマイクロフォン信号または基準マイクロフォン信号のうちの前記少なくとも１つの前記重み付けに対して補償するために、該エラーマイクロフォン信号または基準マイクロフォン信号のうちの別の１つの位相応答を調節することをさらに含む、項目９に記載の方法。
（項目１１）
前記外部音響チャネルの応答は、１つ以上のマルチパスヌルを有し、前記フィルタリングすることは、該１つ以上のマルチパスヌルと対応する前記１つ以上の第２の周波数領域における適合的フィルタの応答の形状を調節するために、前記エラーマイクロフォン信号または基準マイクロフォン信号のうちの前記少なくとも１つに重み付けする、項目９に記載の方法。
（項目１２）
前記フィルタリングすることは、前記基準マイクロフォン信号と前記エラーマイクロフォン信号との両方に対して前記重み付けを適用する、項目８に記載の方法。
（項目１３）
前記フィルタリングすることは、前記基準マイクロフォン信号と前記エラーマイクロフォン信号との両方に対して等しい重み付けを適用する、項目１２に記載の方法。
（項目１４）
前記パーソナルオーディオデバイスは、無線電話機であり、前記方法は、ダウンリンクオーディオ信号として前記ソースオーディオを受信することをさらに含む、項目８に記載の方法。
（項目１５）
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該トランスデューサの出力および該トランスデューサにおける該周囲のオーディオサウンドを示すエラーマイクロフォン信号を受信するためのエラーマイクロフォン入力部と、
応答を有する適合的フィルタを実装する処理回路であって、該応答は、該基準信号から、該リスナによって聞き取られる該周囲のオーディオサウンドの存在を低減するための該アンチノイズ信号を生成する、処理回路と
を備え、該処理回路は、該エラーマイクロフォン信号における該周囲のオーディオサウンドを最小化するために、該適合的フィルタの応答を適合させることによって、該エラーマイクロフォン信号および該基準マイクロフォン信号に従い、該適合的フィルタの応答を成形し、該エラーマイクロフォン信号または基準マイクロフォン信号のうちの少なくとも１つは、フィルタリングされることにより、１つ以上の第１の特定の周波数領域に重み付けし、それによって、該適合的フィルタの応答は、該第１の特定の周波数領域における該周囲のオーディオサウンドの最小化の程度を変更するようにバイアスされる、
集積回路。
（項目１６）
前記エラーマイクロフォン信号または基準マイクロフォン信号のうちの前記少なくとも１つの周波数応答は、外部音響チャネルの周波数応答に対して補償するために重み付けされる、項目１５に記載の集積回路。
（項目１７）
前記エラーマイクロフォン信号または基準マイクロフォン信号のうちの別の１つの位相応答は、前記エラーマイクロフォン信号または基準マイクロフォン信号のうちの前記少なくとも１つの前記重み付けに対して補償するために調節される、項目１６に記載の集積回路。
（項目１８）
前記外部音響チャネルの応答は、１つ以上のマルチパスヌルを有し、前記エラーマイクロフォン信号または基準マイクロフォン信号のうちの前記少なくとも１つは、該１つ以上のマルチパスヌルと対応する前記１つ以上の第２の周波数領域における前記適合的フィルタの応答の形状を調節するために重み付けされる、項目１６に記載の集積回路。
（項目１９）
前記重み付けは、前記基準マイクロフォン信号と前記エラーマイクロフォン信号との両方に対して適用される、項目１５に記載の集積回路。
（項目２０）
等しい重み付けが、前記基準マイクロフォン信号と前記エラーマイクロフォン信号との両方に対して適用される、項目１８に記載の集積回路。